【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
患者の体温を維持または上昇させるためのデバイスであって、
前記患者の足部の少なくとも一部分および脚部の少なくとも一部分上への配置のために構成されたスリーブと、
前記スリーブが前記脚部の上に配置されたとき、前記患者の膝窩の上に位置付けられるように、前記スリーブと連結された第１の熱送達部材と、
前記スリーブが前記足部の上に配置されたとき、前記足部の裏の上に位置付けられるように、前記スリーブと連結された少なくとも第２の熱送達部材と、
前記スリーブが前記脚部および前記足部上に配置されたとき、第１の熱送達部材と第２の熱送達部材との間の領域の中に位置付けられるように、前記スリーブと連結された少なくとも１つの断続圧迫部材と、を備え、
前記スリーブが複数のコンパートメントを備え、そして前記熱送達部材および前記少なくとも１つの断続圧迫部材が前記コンパートメント中に配置される、デバイス。
【請求項２】
患者の体温を維持または上昇させるためのデバイスであって、
前記患者の足部の少なくとも一部分および脚部の少なくとも一部分上への配置のために構成されたスリーブと、
前記スリーブの第１のコンパートメント中に位置される第１の熱送達部材であって、前記スリーブが前記脚部上に置かれるとき、前記患者の膝窩上に位置される第１の熱送達部材と、
前記スリーブの第２のコンパートメント中に位置される少なくとも１つの第２の熱送達部材であって、前記スリーブが前記足部上に置かれるとき、前記足部の裏上に位置される第２の熱送達部材と、
前記第１のコンパートメントと前記第２のコンパートメントとの間に位置される、前記スリーブの第３のコンパートメント中に位置される少なくとも１つの断続圧迫部材であって、前記スリーブが、前記脚部および前記足部上に置かれるとき、前記第１の熱送達部材および前記第２の熱送達部材から離れ、かつそれらの間に位置される少なくとも１つの断続圧迫部材と、を備える、デバイス。
【請求項３】
患者の体温を維持または上昇させるためのデバイスであって、
第１の熱送達部材を備える第１の身体インターフェース部材であって、前記患者の膝窩上に適合するように構成される第１の身体インターフェース部材と、
第２の熱送達部材を備える第２の身体インターフェース部材であって、前記患者の足部の裏上に適合するように構成される第２の身体インターフェース部材と、
少なくとも１つの断続圧迫部材を備える第３の身体インターフェース部材であって、第１の場所と第２の場所との間の中間場所で前記患者の下肢上に適合し、そして前記中間位置に圧迫を提供するように構成される第３の身体インターフェース部材と、を備える、デバイス。
【請求項４】
前記第１の熱送達部材および前記第２の熱送達部材は、超音波、電気的、機械的、化学的、放射、および対流エネルギーから成る群から選択される形態でエネルギーを送達する、請求項１〜３のいずれか１項に記載のデバイス。
【請求項５】
前記断続圧迫部材は、少なくとも１つの膨張可能な嚢を備える、請求項１〜３のいずれか１項に記載のデバイス。
【請求項６】
前記少なくとも１つの断続圧迫部材は、少なくとも１つの圧力チャンバを備える、請求項１〜３のいずれか１項に記載のデバイス。
【請求項７】
前記デバイスによって、熱送達または圧迫適用のうちの少なくとも１つを制御するための、前記スリーブと連結されたコントローラをさらに備える、請求項１〜３のいずれか１項に記載のデバイス。
【請求項８】
前記患者の温度を感知するための、少なくとも１つの温度センサと、
前記コントローラに感知された温度データを提供するための、前記少なくとも１つの温度センサと前記コントローラとの間の接続部と、をさらに備える、請求項７に記載のデバイス。
【請求項９】
前記コントローラは、前記感知された温度データに基づいて、前記熱送達部材および前記圧迫部材を制御するように構成される、フィードバックループを備える、請求項８に記載のデバイス。
【請求項１０】
前記スリーブの少なくとも一部の内表面上に、前記患者の皮膚から湿気を逃がすことを補助するための芯材料をさらに備える、請求項１〜３のいずれか１項に記載のデバイス。
【請求項１１】
前記スリーブの内表面と前記患者の皮膚との間に真空を提供するための、前記スリーブと連結された吸引デバイスをさらに備える、請求項１〜３のいずれか１項に記載のデバイス。
【請求項１２】
前記スリーブの内表面の少なくとも一部分上に、前記内表面と前記患者の皮膚との間の接着を提供するための接着剤をさらに備える、請求項１〜３のいずれか１項に記載のデバイス。
【請求項１３】
患者の体温を維持または上昇させるためのシステムであって、
前記患者の下肢の膝窩の上に位置付けるために構成される、第１の熱送達部材と、
前記下肢の前記足部の裏の上に位置付けるために構成される、少なくとも第２の熱送達部材と、
前記膝窩と四肢の前記足部との間の前記下肢上に位置付けるために構成される、少なくとも１つの断続圧迫部材と、
前記第１および第２の熱送達部材と連結可能な少なくとも１つの熱源と、
前記少なくとも１つの断続圧迫部材と連結可能な少なくとも１つの圧迫源と、を備える、システム。
【請求項１４】
前記足部の少なくとも一部分および前記膝窩を含む前記下肢の少なくとも一部分上への配置のために構成されたスリーブをさらに備え、前記第１の熱送達部材、前記第２の熱送達部材、および前記断続圧迫部材が前記スリーブと連結されている、請求項１３に記載のシステム。
【請求項１５】
患者の体温を維持または上昇させるためのシステムであって、
請求項１〜９のいずれか１項に記載のデバイスと、
前記第１の熱送達部材および前記第２の熱送達部材と連結可能な少なくとも１つの熱源と、
前記少なくとも１つの断続圧迫部材と連結可能な少なくとも１つの圧迫源と、を備える、システム。
【請求項１６】
前記熱源を前記第１および第２の熱送達部材と接続するため、および前記圧迫源を前記少なくとも１つの圧迫部材と接続するための、少なくとも１つのコネクタをさらに備える、請求項１３〜１５のいずれか１項に記載のシステム。
【請求項１７】
前記少なくとも１つのコネクタが、それらの長さの少なくとも一部分に沿ってともに結合される複数のコネクタを含む、請求項１６に記載のシステム。
【請求項１８】
前記脚部および前記足部への熱の送達および圧迫の適用を制御するための、前記少なくとも１つの熱源および前記少なくとも１つの圧迫源と連結されたコントローラをさらに備える、請求項１３または１４に記載のシステム。
【請求項１９】
前記コントローラ、前記少なくとも１つの熱源、および前記少なくとも１つの圧迫源が１つの組み合わせデバイス内に格納される、請求項１８に記載のシステム。
【請求項２０】
前記組み合わせデバイスは、ベッドの側部に取り付けるように構成される、請求項１９に記載のシステム。
【手続補正２】
【補正対象書類名】明細書
【補正対象項目名】００２５
【補正方法】変更
【補正の内容】
【００２５】
これらならびに他の側面および実施形態は、添付の図面を参照して以下に詳細に記載される。より特定すれば、本明細書は、以下の項目を含む構成を記載している。
(項目１)
患者の体温を維持または上昇させるためのデバイスであって、
上記患者の足部の少なくとも一部分および脚部の少なくとも一部分上への配置のために構成されたスリーブと、
上記スリーブが上記脚部の上に配置されたとき、上記患者の膝窩の上に位置付けられるように、上記スリーブと連結された第１の熱送達部材と、
上記スリーブが上記足部の上に配置されたとき、上記足部の裏の上に位置付けられるように、上記スリーブと連結された少なくとも第２の熱送達部材と、
上記スリーブが上記脚部および上記足部上に配置されたとき、第１の熱送達部材と第２の熱送達部材との間の領域の中に位置付けられるように、上記スリーブと連結された少なくとも１つの断続圧迫部材と、
を備える、デバイス。
(項目２)
上記熱送達部材は、超音波、電気的、機械的、化学的、放射、および対流エネルギーから成る群から選択される形態でエネルギーを送達する、項目１に記載のデバイス。
(項目３)
上記断続圧迫部材は、少なくとも１つの膨張可能な嚢を備える、項目１に記載のデバイス。
(項目４)
上記断続圧迫部材は、少なくとも１つの圧力チャンバを備える、項目１に記載のデバイス。
(項目５)
上記デバイスによって、熱送達または圧迫適用のうちの少なくとも１つを制御するための、上記スリーブと連結されたコントローラをさらに備える、項目１に記載のデバイス。
(項目６)
上記患者の温度を感知するための、少なくとも１つの温度センサと、
上記コントローラに感知された温度データを提供するための、上記少なくとも１つの温度センサと上記コントローラとの間の接続部と、をさらに備える、項目５に記載のデバイス。
(項目７)
上記コントローラは、上記感知された温度データに基づいて、上記熱送達部材および上記圧迫部材を制御するように構成される、フィードバックループを備える、項目６に記載のデバイス。
(項目８)
上記スリーブは、複数のコンパートメントを備え、上記熱送達部材および断続圧迫部材が上記コンパートメント内に配設される、項目１に記載のデバイス。
(項目９)
上記熱送達部材のうちの少なくとも１つは、四肢上のその場所を調節するために、上記スリーブ上のその場所に対して移動可能である、項目１に記載のデバイス。
(項目１０)
上記断続圧迫部材は、肢部上のその場所を調節するために、上記スリーブ上のその場所に対して移動可能である、項目９に記載のデバイス。
(項目１１)
上記第１の熱送達部材、上記第２の熱送達部材、または上記断続圧迫部材のうちの少なくとも１つは、上記部材の場所を相互に対して調節するために、他の部材に対して上記スリーブに沿って長手方向に移動可能である、項目１に記載のデバイス。
(項目１２)
上記スリーブの少なくとも一部の内表面上に、四肢の皮膚から湿気を逃がすことを補助するための芯材料をさらに備える、項目１に記載のデバイス。
(項目１３)
上記スリーブの内表面と四肢との間に真空を提供するための、上記スリーブと連結された吸引デバイスをさらに備える、項目１に記載のデバイス。
(項目１４)
上記スリーブの内表面の少なくとも一部分上に、上記内表面と四肢の皮膚との間の接着を提供するための接着剤をさらに備える、項目１に記載のデバイス。
(項目１５)
患者の体温を維持または上昇させるためのシステムであって、
上記患者の下肢の膝窩の上に位置付けるために構成される、第１の熱送達部材と、
上記下肢の上記足部の裏の上に位置付けるために構成される、少なくとも第２の熱送達部材と、
上記膝窩と四肢の上記足部との間の上記下肢上に位置付けるために構成される、少なくとも１つの断続圧迫部材と、
上記第１および第２の熱送達部材と連結可能な少なくとも１つの熱源と、
上記少なくとも１つの断続圧迫部材と連結可能な少なくとも１つの圧迫源と、を備える、システム。
(項目１６)
上記足部の少なくとも一部分および上記膝窩を含む上記下肢の少なくとも一部分上への配置のために構成されたスリーブをさらに備え、上記第１の熱送達部材、上記第２の熱送達部材、および上記断続圧迫部材が上記スリーブと連結されている、項目１５に記載のシステム。
(項目１７)
上記熱源を上記第１および第２の熱送達部材と接続するため、および上記圧迫源を上記少なくとも１つの圧迫部材と接続するための、少なくとも１つのコネクタをさらに備える、項目１５に記載のシステム。
(項目１８)
上記少なくとも１つのコネクタが、それらの長さの少なくとも一部分に沿ってともに結合される複数のコネクタを含む、項目１７に記載のシステム。
(項目１９)
上記脚部および上記足部への熱の送達および圧迫の適用を制御するための、上記少なくとも１つの熱源および上記少なくとも１つの圧迫源と連結されたコントローラをさらに備える、項目１５に記載のシステム。
(項目２０)
上記コントローラ、上記少なくとも１つの熱源、および上記少なくとも１つの圧迫源が１つの組み合わせデバイス内に格納される、項目１９に記載のシステム。
(項目２１)
上記組み合わせデバイスは、ベッドの側部に取り付けるように構成される、項目２０に記載のシステム。
(項目２２)
上記患者の温度を感知するための少なくとも１つの温度センサと、
上記感知された温度が上記コントローラに伝えられ得るように、上記少なくとも１つの温度センサを上記コントローラと接続するための、少なくとも１つのコネクタと、をさらに備える、項目１９に記載のシステム。